(57)【要約】送受信すべきユーザデータがない移動局を適切にIDLE状態に遷移させ得る基地局及び通信制御方法を提供する。基地局100Aは、移動局200が送受信するユーザデータの状態を検出する送受信データ検出部103と、送受信データ検出部103によってユーザデータが存在しないことが検出された場合、移動局200におけるユーザデータが存在しない時間を計測するUE Inactive Timer 107aを起動するUE Inactive Timer制御部107と、UE Inactive Timer制御部107によって起動されたUE Inactive Timer 107aの計測時間が第１の閾値を超えた場合、移動局200をIDLE状態に遷移させる移動局状態制御部105とを備える。
2013039146.tif 000002
【特許請求の範囲】
【請求項１】
移動局の無線アクセスネットワークとの接続状態を制御する基地局であって、
前記移動局が送受信するユーザデータの状態を検出する送受信データ検出部と、
前記送受信データ検出部によって前記ユーザデータが存在しないことが検出された場合、前記移動局におけるユーザデータが存在しない時間を計測する第１タイマを起動する第１タイマ制御部と、
前記第１タイマ制御部によって起動された前記第１タイマの計測時間が第１の閾値を超えた場合、前記移動局を、前記無線アクセスネットワークとの接続が解放され、所定のチャネルを間欠受信するIDLE状態に遷移させる移動局状態制御部と
を備える基地局。
【請求項２】
前記第１タイマ制御部は、前記移動局への専用トラフィックチャネルを介した前記ユーザデータが発生した場合、前記第１タイマを停止する請求項１に記載の基地局。
【請求項３】
前記移動局が接続中のセルから同一または他のセルへのハンドオーバーを開始した場合、または前記移動局が前記無線アクセスネットワークへの再接続を開始した場合、前記第１タイマによる計測を中止するか否かの判定に用いられる第２タイマを起動する第２タイマ制御部を備え、
前記第２タイマ制御部は、
前記第２タイマの計測時間が第２の閾値を超えた場合または前記第２タイマが停止している場合、前記第１タイマが前記第１の閾値を超えたか否かを判定し、
前記第１タイマの計測時間が前記第１の閾値を超えている場合、前記第１タイマをリセットし、
前記第２タイマの計測時間が前記第２の閾値を超えていない場合、前記ユーザデータが発生しても前記第１タイマのリセットを中止する請求項１に記載の基地局。
【請求項４】
前記第１タイマ制御部は、前記第２タイマの計測時間が第２の閾値を超えた場合または前記第２タイマが停止している場合、かつ前記第１タイマの計測時間が前記第１の閾値を超えていない状態において、前記ユーザデータが発生した場合、前記第１タイマをリセットする請求項１に記載の基地局。
【請求項５】
移動局の無線アクセスネットワークとの接続状態を制御する通信制御方法であって、
通信装置が、前記移動局が送受信するユーザデータの状態を検出するステップと、
前記通信装置が、前記ユーザデータが存在しないことが検出した場合、前記移動局におけるユーザデータが存在しない時間を計測する第１タイマを起動するステップと、
起動された前記第１タイマの計測時間が第１の閾値を超えた場合、前記移動局を、前記無線アクセスネットワークとの接続が解放され、所定のチャネルを間欠受信するIDLE状態に遷移させるステップと
を有する通信制御方法。
【発明の詳細な説明】
【技術分野】
【０００１】
本発明は、移動局の無線アクセスネットワークとの接続状態を制御する基地局及び通信制御方法に関する。
【背景技術】
【０００２】
3rd Generation Partnership Project（3GPP）において標準化されているLong Term Evolution（LTE）では、移動局（UE）を２つの状態、具体的には、RRC connected状態と、IDLE状態との何れかで管理するように規定されている（例えば、非特許文献１参照）。【０００３】
RRC connected状態は、Radio Resource Control（RRC）レイヤにおいて無線アクセスネットワーク（基地局）との接続が確立している状態であり、ユーザデータの送受信を行うことが可能である。一方、IDLE状態は、RRCにおいて接続が確立していない状態であり、ユーザデータの送受信を行うには、無線アクセスネットワークとの接続の確立が必要となる。
【先行技術文献】
【非特許文献】
【０００４】
【非特許文献１】3GPP TS 36.300 V10.3.0, 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 10)、２０１１年３月
【発明の概要】
【０００５】
ところで、移動局の消費電力を低減し、バッテリの消耗を抑制するため、また、基地局の無線リソースセービングを行うためには、送受信すべきユーザデータが存在しない場合には、ユーザデータが発生する可能性が低いと見なして、移動局をIDLE状態に遷移させることが好ましいと考えられる。しかしながら、上述した従来の方法では、ユーザデータが存在しない場合でも、RRC connected状態を維持してしまう問題があった。
【０００６】
そこで、本発明は、このような状況に鑑みてなされたものであり、送受信すべきユーザデータがない移動局を適切にIDLE状態に遷移させ得る基地局及び通信制御方法の提供を目的とする。
【０００７】
本発明の第１の特徴は、移動局（移動局200）の無線アクセスネットワークとの接続状態を制御する基地局（例えば、基地局100A）であって、前記移動局が送受信するユーザデータの状態を検出する送受信データ検出部（送受信データ検出部103）と、前記送受信データ検出部によって前記ユーザデータが存在しないことが検出された場合、前記移動局におけるユーザデータが存在しない時間を計測する第１タイマ（UE Inactive Timer 107a）を起動する第１タイマ制御部（UE Inactive Timer制御部107）と、前記第１タイマ制御部によって起動された前記第１タイマの計測時間が第１の閾値を超えた場合、前記移動局を、前記無線アクセスネットワークとの接続が解放され、所定のチャネルを間欠受信するIDLE状態に遷移させる移動局状態制御部（移動局状態制御部105）とを備えることを要旨とする。
【０００８】
本発明の第２の特徴は、移動局の無線アクセスネットワークとの接続状態を制御する通信制御方法であって、通信装置が、前記移動局が送受信するユーザデータの状態を検出するステップと、前記通信装置が、前記ユーザデータが存在しないことを検出した場合、前記移動局におけるユーザデータが存在しない時間を計測する第１タイマを起動するステップと、起動された前記第１タイマの計測時間が第１の閾値を超えた場合、前記移動局を、前記無線アクセスネットワークとの接続が解放され、所定のチャネルを間欠受信するIDLE状態に遷移させるステップを有することを要旨とする。  
【図面の簡単な説明】
【０００９】
【図１】図１は、本発明の実施形態に係る無線通信システムの全体概略構成図である。
【図２】図２は、本発明の実施形態に係る基地局100Aの機能ブロック構成図である。
【図３】図３は、本発明の実施形態に係る基地局100Aによる移動局200の状態制御の基本動作シーケンスを示す図である。
【図４】図４は、動作例１に係る移動局200の状態制御に係る通信シーケンスを示す図である。
【図５】図５は、動作例２に係る移動局200の状態制御に係る通信シーケンスを示す図である。
【図６】図６は、動作例２に係る基地局100Aの動作フローを示す図である。
【発明を実施するための形態】
【００１０】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１１】
したがって、具体的な寸法などは以下の説明を参酌して判断すべきものである。また、図面相互間においても互いの寸法の関係や比率が異なる部分が含まれていることは勿論である。
【００１２】
（１）無線通信システムの全体概略構成
図１は、本実施形態に係る無線通信システムの全体概略構成図である。図１に示すように、本実施形態に係る無線通信システムは、Long Term Evolution（LTE）方式を採用しており、コアネットワーク50、基地局100A, 100B（eNB）及び移動局200（UE）を含む。
【００１３】
基地局100A, 100Bは、コアネットワーク50に接続されている。基地局100A（100B）は、セルC1（セルC2）を形成し、移動局200とLTE方式に従った無線通信を実行する。
【００１４】
特に、本実施形態では、基地局100A（または基地局100B、以下同）は、移動局200の無線アクセスネットワーク（RAN）との接続状態を制御する。具体的には、基地局100Aは、複数のタイマを用いて移動局200の状態を制御する。
【００１５】
（２）無線通信システムの機能ブロック構成
次に、本実施形態に係る無線通信システムの機能ブロック構成について説明する。具体的には、基地局100Aの機能ブロック構成について説明する。図２は、基地局100Aの機能ブロック構成図である。
【００１６】
図２に示すように、基地局100Aは、無線通信部101、送受信データ検出部103、移動局状態制御部105、UE Inactive Timer制御部107及びUIT Pending Timer制御部109を備える。
【００１７】
無線通信部101は、移動局200とLTE方式に従った無線通信を実行する。
【００１８】
送受信データ検出部103は、移動局200が送受信するユーザデータの状態を検出する。具体的には、送受信データ検出部103は、移動局200と設定された専用トラフィックチャネル（DTCH）を介して送受信されるユーザデータが発生を検出する。
【００１９】
移動局状態制御部105は、移動局200の状態を制御する。具体的には、移動局200をRRC connected状態またはIDLE状態に制御する。
【００２０】
RRC connected状態は、Radio Resource Control（RRC）レイヤにおいて無線アクセスネットワーク（基地局100A）との接続が確立している状態であり、ユーザデータの送受信を行うことが可能である。一方、IDLE状態は、RRCにおいて接続が確立していない状態、つまり、無線アクセスネットワークとの接続が解放された状態であり、ユーザデータの送受信を行うには、無線アクセスネットワークとの接続の確立が必要となる。
【００２１】
特に、本実施形態では、移動局状態制御部105は、UE Inactive Timer制御部107（第１タイマ制御部）によって起動されたUE Inactive Timer 107a（第１タイマ）の計測時間が第１の閾値を超えた場合、移動局200を、所定のチャネルを間欠受信するIDLE状態に遷移させる。
【００２２】
UE Inactive Timer制御部107は、UE Inactive Timer 107aを制御する。具体的には、UE Inactive Timer制御部107は、送受信データ検出部103によってユーザデータが存在しないことが検出された場合、移動局200におけるユーザデータが存在しない時間を計測するUE Inactive Timer 107aを起動する。本実施形態において、UE Inactive Timer制御部107は、第１タイマ制御部を構成する。
【００２３】
UE Inactive Timer制御部107は、移動局200への専用トラフィックチャネル（DTCH）を介したユーザデータが発生した場合、UE Inactive Timer 107aを停止する。また、UE Inactive Timer制御部107は、UIT Pending Timer 109a（第２タイマ）の計測時間が第２の閾値を超えた場合（またはUIT Pending Timer 109aが停止している場合）、かつUE Inactive Timer 107aの計測時間が第１の閾値を超えていない状態において、移動局200向けのユーザデータが発生した場合、UE Inactive Timer 107aをリセットすることができる。
【００２４】
UIT Pending Timer制御部109は、UIT Pending Timer 109aを制御する。具体的には、UIT Pending Timer制御部109は、移動局200が接続中のセル（例えば、セルC1）から他のセル（セルC2）へのハンドオーバーを開始した場合、または移動局200が無線アクセスネットワークへの再接続を開始した場合、UE Inactive Timer 107aによる計測を中止するか否かの判定に用いられるUIT Pending Timer 109a（第２タイマ）を起動する。本実施形態において、UIT Pending Timer制御部109は、第２タイマ制御部を構成する。
【００２５】
UIT Pending Timer制御部109は、UIT Pending Timer 109aの計測時間が第２の閾値を超えた場合（またはUIT Pending Timer 109aが停止している場合）、UE Inactive Timer 107aが第１の閾値を超えているか否かを判定する。ここで、UIT Pending Timer制御部109は、UE Inactive Timer 107aの計測時間が第１の閾値を超えている場合、UE Inactive Timer制御部107を介してUE Inactive Timer 107aをリセットすることができる。
【００２６】
一方、UIT Pending Timer制御部109は、UIT Pending Timer 109aの計測時間が第２の閾値を超えていない場合、移動局200向けのユーザデータが発生してもUE Inactive Timer 107aのリセットを中止することができる。つまり、この場合、UIT Pending Timer制御部109は、UE Inactive Timer制御部107を介してUE Inactive Timer 107aのリセットを中止させ、UE Inactive Timer 107aによる計測を維持させる。
【００２７】
なお、本実施形態では、無線通信部101、送受信データ検出部103、移動局状態制御部105、UE Inactive Timer 107a及びUIT Pending Timer 109aは、基地局100Aのプラットフォーム（PF）の機能により提供され、UE Inactive Timer制御部107及びUIT Pending Timer制御部109は、基地局100Aのアプリケーション（AP）の機能により提供されるが、このような構成に限定されるものではない。
【００２８】
（３）無線通信システムの動作
次に、本実施形態に係る無線通信システムの動作について説明する。具体的には、基地局100Aによる移動局200の状態制御の動作について説明する。
【００２９】
（３．１）動作例１
図３は、本実施形態に係る基地局100Aによる移動局200の状態制御の基本動作シーケンスを示す。図４は、本動作例に係る移動局200の状態制御に係る通信シーケンスを示す。
【００３０】
図３に示すように、基地局100A（eNB）は、移動局200（UE）とのRandom Access手順が完了（S10）したタイミングにおいて、UE Inactive Timer 107aを起動する（S20）。
【００３１】
次いで、基地局100Aは、DTCHにおいて移動局200向けのユーザデータが発生（S30）した場合、移動局200を管理しているUE Inactive Timer 107aをリセットして停止する（S40）。DTCHにおいて移動局200向けのユーザデータが発生する状態としては、例えば、以下のようなものが挙げられる。
【００３２】
・下り方向データの到来（DL data resuming）
・上り方向データの発生に伴うScheduling Request受信（Buffer Status Report受信）
・上り方向共用チャネル（UL-SCH）の受信
・移動局200から、バッファ内のデータ量を報告するBuffer Status reportingの受信
基地局100Aは、移動局200向けのユーザデータの送受信が完了（S50）したタイミングにおいて、UE Inactive Timer 107aを起動する（S60）。
【００３３】
次いで、基地局100Aは、UE Inactive Timer 107aが第１の閾値を超えたタイミング（S70）において、移動局200に対してRRC connection Releaseを送信することによって、移動局200をIDLE状態に遷移させる（S80）。具体的には、基地局100Aのプラットフォーム（PF）からアプリケーション（AP）にUE Inactive Timer 107aが第１の閾値を超えたことを通知し、APからRRC connection Releaseを送信させる。
【００３４】
また、図４に示すように、基地局100Aは、移動局200のハンドオーバー時または無線アクセスネットワークへの再接続時には、上述したUE Inactive Timer 107aのリセットを中止する。
【００３５】
具体的には、基地局100Aは、移動局200のハンドオーバーに伴って実行されるハンドオーバーRBS-ID設定処理（マクロ）の中で、UE Inactive Timer 107aの状態をPFとAPとの間（具体的には、ハンドオーバー元セルS-cell（Source cell）からハンドオーバー先セルT-cell（Target cell））で引き継ぐ、或いは基地局100A内部（具体的には、S-cellからT-cell）において引き継がれる（S100）。
【００３６】
移動局200は、ハンドオーバーまたは無線アクセスネットワークへの再接続の開始に伴って、基地局100AとRandom Access手順を実行する（S110〜S130）。ここで、基地局100Aは、UE Inactive Timer 107aを起動する（S120）。
【００３７】
次いで、基地局100A及び移動局200は、RRCレイヤ及びRLCレイヤによる接続処理及びPacket Data Convergence Protocol（PDCP）レイヤにおけるstatus reportの送受信などを実行する（S140〜S180）。
【００３８】
なお、PDCPレイヤでは、Inter-/Intra-eNB Handover及び再接続時において、S-cellで受信した上りリンクデータが送信順に基地局100Aに到達しない場合でも上位レイヤに送出される。ハンドオーバーまたは再接続後において、移動局200は、基地局100Aが当該上りリンクデータをS-cellで受信している場合でも、RLCレイヤにおいてACKが確認できていないデータに関しては、基地局100Aにおいて受信できていないと見なしてT-cell（Target）において再送する。
【００３９】
このように移動局200がS-cellにおいて既に受信できている上りリンクデータを再送することは、無線リソースの効率的な利用の観点からは好ましくない。そこで、移動局200のハンドオーバーまたは再接続時には、基地局100Aにおける上りリンクデータの受信状況をPDCPレイヤのstatus reportによって移動局200に通知すれば、当該再送を回避することができる。なお、PDCP status reportを送信するか否かについては、基地局100A向けの局データによって指定すればよい。
【００４０】
（３．２）動作例２
図５は、本動作例に係る移動局200の状態制御に係る通信シーケンスを示す。図６は、本動作例に係る基地局100Aの動作フローを示す。以下、上述した動作例１と異なる部分について、主に説明する。
【００４１】
上述したように、移動局200のハンドオーバーまたは再接続時には、UE Inactive Timer 107aの値がS-cellからT-cellに引き継がれる（S100）。具体的には、Inter-eNB HOの場合、APのマクロによりT-eNB（例えば、基地局100B）に通知される。また、Intra-eNB HOまたは再接続時の場合、eNBのPF内部で引き継がれる。T-cellでは、引き継がれたUE Inactive Timer 107aの値を初期値として設定し、UE Inactive Timer 107aを起動する。
【００４２】
また、当該ハンドオーバーまたは再接続後において、基地局100Aは、移動局200に送信すべきデータがない場合でも、Status report required = Trueであれば、PDCP status reportを送信する。
【００４３】
Data Radio Bearer（DRB）におけるPDCP status reportは、DTCHにマッピングされるため、この時点でUE Inactive Timer 107aはリセットされて停止する。このため、送受信されるユーザデータが存在しない移動局200に対してハンドオーバーまたは再接続する毎にUE Inactive Timer 107aがリセットされ、移動局200はIDLE状態に遷移することができない。
【００４４】
そこで、図５及び図６に示すように、本動作例では、UIT Pending Timer 109aを用いてUE Inactive Timer 107aのリセットを一定条件下において制限する。具体的には、基地局100Aは、UE Inactive Timer 107aとともにUIT Pending Timer 109aを起動する（図５のS120A及び図６のS330）。
【００４５】
基地局100Aは、移動局200が他のセル（セルC2）からセルC1にハンドオーバーしてくる場合、または基地局100A内でハンドオーバーする場合、UIT Pending Timer 109aの値が第２の閾値を超えたタイミングにおいてUIT Pending Timer 109aを停止する。同様に、基地局100Aは、移動局200が再接続してくる場合、UIT Pending Timer 109aの値が第２の閾値を超えたタイミングにおいてUIT Pending Timer 109aを停止する（図５のS190）。
【００４６】
次いで、基地局100Aは、UE Inactive Timer 107aが起動しており、かつUIT Pending Timer 109aが停止している（タイムアウトしている）状態において、移動局200に対するDTCHの下り論理チャネル（LCH）の何れか１つに対してデータが存在する、もしくは移動局200に対するDTCHを含む上り論理チャネルグループ（LCG）の何れか１つに対してデータが存在する場合、UE Inactive Timer 107aをリセットして停止する（図５のS200〜S220及び図６のS330）。
【００４７】
具体的には、基地局100Aは、UIT Pending Timer 109aが停止している状態において、UE Inactive Timer 107aの値が第１の閾値を超えている場合、その事象をAPに通知する。なお、移動局200に対応付けられているUIT Pending Timer 109aが停止したタイミングにおいて、UE Inactive Timer 107aが第１の閾値を超えていても、その時点でUE Inactive Timer 107aのリセット条件が満たされる場合には、APへの報告を行わないこと、つまり、UIT Pending Timer 109aが停止している場合には、UE Inactive Timer 107aのリセット有無の判定後にUE Inactive Timer 107aが第１の閾値を超えているか否かを判定する。
【００４８】
（４）作用・効果
基地局100Aによれば、移動局200におけるユーザデータが存在しない時間を計測するUE Inactive Timer 107aが用いられ、UE Inactive Timer 107aの計測時間が第１の閾値を超えた場合、移動局200はIDLE状態に遷移させられる。このため、送受信すべきユーザデータがない移動局200を適切にIDLE状態に遷移させることができ、基地局の無線リソース浪費、及び移動局200の消費電力を低減し、バッテリの消耗を抑制し得る。
【００４９】
また、本実施形態では、UIT Pending Timer 109aの計測時間が第２の閾値を超えた場合、かつUE Inactive Timer 107aの計測時間が第１の閾値を超えている場合、UE Inactive Timer 107aがリセットされる。一方、UIT Pending Timer 109aの計測時間が第２の閾値を超えていない場合、移動局200向けのユーザデータが発生してもUE Inactive Timer 107aのリセットが中止される。
【００５０】
このため、送受信すべきユーザデータが存在しない移動局のハンドオーバーや再接続が発生してもUE Inactive Timer 107aのリセットや停止が回避されるため、移動局200の消費電力、及び基地局における無線リソースの浪費をさらに低減し、バッテリの消耗を抑制し得る。
【００５１】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００５２】
例えば、上述した本発明の実施形態では、UIT Pending Timer 109aが用いられていたが、UIT Pending Timer 109aは、必ずしも用いなくても構わない。例えば、図３及び図４の動作例１に示したように、UE Inactive Timer 107aのみを用いるようにしてもよい。
【００５３】
このように、本発明は、ここでは記載していない様々な実施の形態などを含むことは勿論である。したがって、本発明の技術的範囲は、上述の説明から妥当な請求の範囲に係る発明特定事項によってのみ定められるものである。
【００５４】
なお、日本国特許出願第２０１１−２０３４０８号（２０１１年９月１６日出願）の全内容が、参照により、本願明細書に組み込まれている。
【産業上の利用可能性】
【００５５】
本発明の特徴によれば、送受信すべきユーザデータがない移動局を適切にIDLE状態に遷移させ得る基地局及び通信制御方法を提供することができる。
【符号の説明】
【００５６】
50…コアネットワーク
100A, 100B…基地局
101…無線通信部
103…送受信データ検出部
105…移動局状態制御部
107…UE Inactive Timer制御部
107a…UE Inactive Timer 
109…UIT Pending Timer制御部
109a…UIT Pending Timer 
200…移動局
C1, C2…セル
【図１】
2013039146.tif 000003
【図２】
2013039146.tif 000004
【図３】
2013039146.tif 000005
【図４】
2013039146.tif 000006
【図５】
2013039146.tif 000007
【図６】
2013039146.tif 000008
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
移動局の無線アクセスネットワークとの接続状態を制御する基地局であって、
前記移動局が送受信するユーザデータの状態を検出する送受信データ検出部と、
前記送受信データ検出部によって前記ユーザデータが存在しないことが検出された場合、前記移動局におけるユーザデータが存在しない時間を計測する第１タイマを起動する第１タイマ制御部と、
前記第１タイマ制御部によって起動された前記第１タイマの計測時間が第１の閾値を超えた場合、前記移動局を、前記無線アクセスネットワークとの接続が解放され、所定のチャネルを間欠受信するIDLE状態に遷移させる移動局状態制御部と
を備える基地局。
【請求項２】
前記第１タイマ制御部は、前記移動局への専用トラフィックチャネルを介した前記ユーザデータが発生した場合、前記第１タイマを停止する請求項１に記載の基地局。
【請求項３】
前記移動局が接続中のセルから同一または他のセルへのハンドオーバーを開始した場合、または前記移動局が前記無線アクセスネットワークへの再接続を開始した場合、前記第１タイマによる計測を中止するか否かの判定に用いられる第２タイマを起動する第２タイマ制御部を備え、
前記第２タイマ制御部は、
前記第２タイマの計測時間が第２の閾値を超えた場合または前記第２タイマが停止している場合、前記第１タイマが前記第１の閾値を超えたか否かを判定し、
前記第１タイマの計測時間が前記第１の閾値を超えている場合、前記第１タイマをリセットし、
前記第２タイマの計測時間が前記第２の閾値を超えていない場合、前記ユーザデータが発生しても前記第１タイマのリセットを中止する請求項１に記載の基地局。
【請求項４】
前記第１タイマ制御部は、前記第２タイマの計測時間が第２の閾値を超えた場合または前記第２タイマが停止している場合、かつ前記第１タイマの計測時間が前記第１の閾値を超えていない状態において、前記ユーザデータが発生した場合、前記第１タイマをリセットする請求項３に記載の基地局。
【請求項５】
移動局の無線アクセスネットワークとの接続状態を制御する通信制御方法であって、
通信装置が、前記移動局が送受信するユーザデータの状態を検出するステップと、
前記通信装置が、前記ユーザデータが存在しないことが検出した場合、前記移動局におけるユーザデータが存在しない時間を計測する第１タイマを起動するステップと、
起動された前記第１タイマの計測時間が第１の閾値を超えた場合、前記移動局を、前記無線アクセスネットワークとの接続が解放され、所定のチャネルを間欠受信するIDLE状態に遷移させるステップと
を有する通信制御方法。
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
移動局の無線アクセスネットワークとの接続状態を制御する基地局であって、
前記移動局が送受信するユーザデータの状態を検出する送受信データ検出部と、
前記送受信データ検出部によって前記ユーザデータが存在しないことが検出された場合、前記移動局におけるユーザデータが存在しない時間を計測する第１タイマを起動する第１タイマ制御部と、
前記第１タイマ制御部によって起動された前記第１タイマの計測時間が第１の閾値を超えた場合、前記移動局を、前記無線アクセスネットワークとの接続が解放され、所定のチャネルを間欠受信するIDLE状態に遷移させる移動局状態制御部と、
前記移動局が接続中のセルから同一または他のセルへのハンドオーバーを開始した場合、または前記移動局が前記無線アクセスネットワークへの再接続を開始した場合、前記第１タイマによる計測を中止するか否かの判定に用いられる第２タイマを起動する第２タイマ制御部とを備え、
前記第２タイマ制御部は、
前記第２タイマの計測時間が第２の閾値を超えた場合または前記第２タイマが停止している場合、前記第１タイマの計測時間が前記第１の閾値を超えたか否かを判定し、
前記第１タイマの計測時間が前記第１の閾値を超えている場合、前記第１タイマをリセットし、
前記第２タイマの計測時間が前記第２の閾値を超えていない場合、前記ユーザデータが発生しても前記第１タイマのリセットを中止する基地局。
【請求項２】
前記第１タイマ制御部は、前記第２タイマの計測時間が第２の閾値を超えた場合または前記第２タイマが停止している場合、かつ前記第１タイマの計測時間が前記第１の閾値を超えていない状態において、前記ユーザデータが発生した場合、前記第１タイマをリセットする請求項１に記載の基地局。
【請求項３】
基地局において実行される、移動局の無線アクセスネットワークとの接続状態を制御する通信制御方法であって、
前記移動局が送受信するユーザデータの状態を検出するステップと、
前記ユーザデータが存在しないことを検出した場合、前記移動局におけるユーザデータが存在しない時間を計測する第１タイマを起動するステップと、
起動された前記第１タイマの計測時間が第１の閾値を超えた場合、前記移動局を、前記無線アクセスネットワークとの接続が解放され、所定のチャネルを間欠受信するIDLE状態に遷移させるステップと、
前記移動局が接続中のセルから同一または他のセルへのハンドオーバーを開始した場合、または前記移動局が前記無線アクセスネットワークへの再接続を開始した場合、前記第１タイマによる計測を中止するか否かの判定に用いられる第２タイマを起動するステップと、
前記第２タイマの計測時間が第２の閾値を超えた場合または前記第２タイマが停止している場合、前記第１タイマの計測時間が前記第１の閾値を超えたか否かを判定する判定ステップと、
前記判定ステップにおいて、前記第１タイマの計測時間が前記第１の閾値を超えていると判定した場合、前記第１タイマをリセットするステップと、
前記第２タイマの計測時間が前記第２の閾値を超えていない場合、前記ユーザデータが発生しても前記第１タイマのリセットを中止するステップと
を有する通信制御方法。
【国際調査報告】
2013039146.tif 000009
2013039146.tif 000010
2013039146.tif 000011
2013039146.tif 000012